(57)【要約】【課題】整地体の土付着防止部材の耐久性を向上させることにより、整地体の交換作業の回数を減らすことが可能な農作業機を提供することを目的とする。【解決手段】農作業機１は、トラクタの後部に装着されて耕耘作業を行う作業機であって、耕耘作業を行う耕耘体１１と、その上方位置にカバー体１５を備え、耕耘体１１の後方で整地作業をする整地体５０とを備える。整地体５０の下端部には耕耘体１１にて耕耘された土が整地体５０に付着するのを防止する土付着防止部材１００を固着し、土付着防止部材１００の一端部を折り曲げることにより重なり部１０２を設け、土付着防止部材１００はステンレスの板にて構成されている。 【選択図】図３
2014030363.tif 000002
【特許請求の範囲】
【請求項１】
トラクタの後部に装着されて耕耘作業をする耕耘体と、この耕耘体の上方位置に位置して土の飛散を防止するカバー体と、前記耕耘体の後方位置に位置して整地作業をする整地体とを備えた農作業機において、前記整地体の下方部に土付着防止部材を設け、前記土付着防止部材は少なくとも一端部を折り曲げることにより、重なり部を有することを特徴とする農作業機。
【請求項２】
前記土付着防止部材はステンレスの板にて構成されていることを特徴とする請求項１に記載の農作業機。
【請求項３】
前記土付着防止部材の折り曲げ部は前記整地体の下方側に位置することを特徴とする請求項１に記載の農作業機。
【発明の詳細な説明】
【技術分野】
【０００１】
本発明は、走行機体であるトラクタの後部に装着され、トラクタの動力により作業を行う農作業機に関するものである。
【先行技術文献】
【特許文献】
【０００２】
【特許文献１】特開平７−２３６０４号公報  従来、例えば作業機のカバー体と整地体全体にステンレスの土付着防止部材を設けたものが知られている（例えば特許文献1参照）。
【発明の概要】
【発明が解決しようとする課題】
【０００３】
しかしながら、上記従来の構成では、全体をステンレスで覆うためコストが高く、全体の厚さが均一なので常に土と擦れている整地体の下端部が磨耗してしまうと、整地体を丸ごと交換しなければならないという問題があった。
【０００４】
つまり、高価なステンレス部材を整地体全体に貼り付けても、一部分が磨耗により穴が開いてしまうと全体を交換しなければならないので部品代が高いという問題があった。
【課題を解決するための手段】
【０００５】
請求項１記載の農作業機は、土作業をする耕耘体と、この耕耘体の上方位置に位置して土の飛散を防止するカバー体と、前記耕耘体の後方位置に位置して整地作業をする整地体とを備えた農作業機において、前記整地体の下方部に土付着防止部材を設け、前記土付着防止部材は少なくとも一端部を折り曲げることにより、重なり部を有しているものである。
【０００６】
請求項２記載の農作業機は、土付着防止部材はステンレスの板にて構成されているものである。
【０００７】
請求項３記載の農作業機は、土付着防止部材の折り曲げ部は前記整地体の下方側に位置するものである。
【発明の効果】
【０００８】
請求項１に係る発明によれば、耕耘体の後方位置に位置して整地作業をする整地体を備えた農作業機において、前記整地体の下方部に土付着防止部材を設け、前記土付着防止部材は少なくとも一端部を折り曲げることにより、重なり部を有しているので、重なり部のないものに比べ約２倍の長寿命化がはかれる。
【０００９】
請求項２に係る発明によれば、土付着防止部材はステンレスの板にて構成されるので、樹脂材等で構成される場合に比べて摩擦による磨耗が少ないのでより長寿命化がはかれる。
【００１０】
請求項３に係る発明によれば、土付着防止部材の折り曲げ部は整地体の下方側に位置するので、作業機をバックさせる作業等で土付着防止部材の重なり部分に土が入り込んで土付着防止部材がめくれてしまう不具合を防止できる。
【図面の簡単な説明】
【００１１】
【図１】本発明の第１の実施の形態に係る農作業機の側面図である。
【図２】本発明の第１の実施の形態に係る農作業機の平面図である。
【図３】本発明の第１の実施例である土付着防止部材の部分側面図である。
【図４】本発明の第２の実施の形態の部分側面図である。
【図５】本発明の第３の実施の形態の部分側面図である。
【図６】本発明の第４の実施の形態の部分側面図である。
【図７】従来の実施形態の部分側面図である。
【発明を実施するための形態】
【００１２】
本発明の農作業機の一実施の形態を図面を参照して説明する。
【００１３】
図1において１はロータリ等の農作業機で、この農作業機１は、図示しないトラクタに着脱可能に装着され、トラクタの走行により圃場上を進行方向（図中左方向）に向かって移動しながら耕耘・整地作業を行うものである。
【００１４】
農作業機１は、機枠２を備え、この機枠２は、マスト３、ロワアーム４等にて構成されたトラクタ連結部としての三点連結部５を有し、この三点連結部５には図示しないトラクタ後部の作業機装着装置の三点リンク機構（三点ヒッチ）が連結されている。機枠２から前方に向かって突出した入力軸６には、トラクタのＰＴＯ軸がユニバーサルジョイント等を介して連結されている。
【００１５】
また、機枠２は、進行方向と交差する方向である左右水平方向に長手方向を有する主フレーム８を有し、この主フレーム８の長手方向の一端部にはチェンケース９、他端部にはブラケット１０の上端部がそれぞれ固着されている。
【００１６】
これらチェンケース９及びブラケット１０の各下端部間に、回転により耕耘・砕土作業をする土作業体としての耕耘体１１が回転可能に設けられている。
【００１７】
この耕耘体１１は、入力軸６側からの駆動力を受けてミッションケース７と主フレーム８とチェンケース９を介して、駆動を伝達し、その駆動力により駆動回転する左右水平方向の耕耘軸１２を有し、この耕耘軸１２には複数の耕耘爪１３が放射状に固着されている。
【００１８】
そして、耕耘体１１の上方位置には土の上方への飛散を防止する板状のカバー体１５が機枠２に水平状に固着されて位置しており、このカバー体１５の後端部には複数の連結部２０を介して整地作業をする整地体５０の前端部である上端部が左右水平方向の支軸２１を中心として回動可能に連結され、この整地体５０は上端側の支軸２１を中心として下端側が昇降するように回動可能な状態で耕耘体１１の後方位置に位置している。
【００１９】
また、整地体５０は図１及び図２に示すように、背面視略矩形状で、側面視略Ｓ字状の整地体本体板５３と、整地体本体板５３の左右両方向には側板５１が固着されている。整地体本体板５３は下方にカール部５５を有し、その前面近傍に土付着防止部材１００が固着されている。
【００２０】
そして、整地体本体板５３のカール部５５の前面近傍に固着された土付着防止部材１００は圃場面に接地して土を押圧し、圃場面を平らにする。なお、この整地体本体板５３の接地圧は整地板本体板５３に固着された背板５２、コイルバネ３１を装着したロッド３２等にて構成された接地圧調整手段３０にて適宜調節できるように構成されている。
【００２１】
また、耕耘体１１の前方には耕耘体１１の耕耘深さを調節するためのゲージ輪１６が、ゲージ輪アーム１７、ゲージ輪ホルダ１８等によって上下調節可能に構成されている。
【００２２】
次に、農作業機１の作用等を説明する。
【００２３】
図示しないトラクタの走行による進行方向への移動時に、耕耘体１１がトラクタ側からの駆動力を受けて回転すると、圃場の土が耕起・砕土される。そして、この耕起・砕土された土は、耕耘体１１の後方に位置する整地体５０にて水平に整地される。また、耕耘体１１から上方に向かう土はカバー体１５にて上方への飛散が防止される。
【００２４】
そして、図３に示すように整地体５０の下端側に設けられたカール部５５近傍に土付着防止部材１００を設けたことにより、圃場面の土が整地体５０に付着するのを防止できる。また、土付着防止部材１００を折り曲げることにより、磨耗しやすい部分に重なり部１０２を設けたので、図７に示す従来の土付着防止部材２００に比べ、土付着防止部材１００の磨耗による破損を約２倍長持ちさせることができる。
【００２５】
また、折り曲げ部１０１をカール部５５の先端部側（整地体５０の下端側）に設けたので、作業機がバック作業をした場合等に重なり部１０２の間に土が入ってまくれあがる等の不具合を防止することができる。
【００２６】
そして、重なり部１０２を磨耗しやすい部分である磨耗部１０５より少し長い部分のみに設けたことにより、磨耗による破損を防止できると共に、土付着防止部材全体を２倍の板厚にする場合と比較して、整地体５０を軽く作成することができる。また、高価なステンレス部材を最低限の長さで使用するためコストも抑えることが可能となる。
【００２７】
また、土付着防止部材１００の下端部１１１を整地体本体板５３側（土と直接接触しない側）に向かって折り曲げることにより、重なり部１０２を短くした場合でも、下端部１１１と重なり部１０２の間に土が入り込むのを効果的に防止できる。
【００２８】
次に本発明の第２の実施の形態について図４を参照して説明する。
【００２９】
第２の土付着防止部材１００は第１の実施例よりも一回多く折り曲げて構成されている。折り曲げ部１０１と折り曲げ部１０７を設けたことにより、重なり部１０２と重なり部１０８が設けられている。つまり、３枚の板により重なり部１０２・１０８が形成される。
【００３０】
この実施の形態によると、第１の実施の形態よりさらに１枚分重なり部１０２´が増えることにより、磨耗による破損時間を約３倍に伸ばすことが可能となる。
【００３１】
次に本発明の第３の実施の形態について図５を参照して説明する。
【００３２】
第３の土付着防止部材１００は重なり部１０２がカール部５５を包み込むように、折り曲げ部１０１がカール部５５の上方（進行方向後側）に位置するよう形成されている。
【００３３】
この実施の形態によると、第１の実施の形態よりさらにカール部５５を包み込むように重なり部１０２を設けたので農作業機１がバック作業した場合等に整地体本体板５３と土付着防止部材１００との間に土が入り込むことをよりいっそう効果的に防止することが可能となる。
【００３４】
次に本発明の第４の実施の形態について図６を参照して説明する。
【００３５】
第４の土付着防止部材１００は重なり部の下端部１１１が整地体本体板と反対側（耕耘体側）に位置するよう構成されている。また、この構成では下端部１１１と重なり部１０２の間に土が入る不具合を防止できるよう、実施例１よりも上方に下端部１１１を設けている。
【００３６】
この実施の形態においても、実施例１と同じ効果が期待できるが、土付着防止部材１００の長さを長くする必要がある。つまり、土付着防止部材１００の上端部１１０から下端部１１１の長さを長くする必要がある。
【００３７】
また、重なり部１０２の長さは図３に示すように少なくとも磨耗部１０５より長く構成されていればよいので、上端部１１０から下端部１１１の長さ（重なり部１０２の長さ）は図４ないし図６にも示すように任意である。
【００３８】
そして、土付着防止部材１００は土の付着の少ない部材であれば、ステンレスには限定されず、プラスチック・樹脂・ゴム等何を用いても良い。
【００３９】
整地体本体板５３に土付着防止部材１００を固着する方法は、溶接やボルトによる固定等任意である。
【００４０】
また、土付着防止部材の厚さは任意であるが、０．５ｍｍ〜３ｍｍが折り曲げ加工に適している
【００４１】
なお、農作業機１はロータリ作業機には限定されず、代掻き作業機や複合作業機等、整地体５０を備えたものであればよい。
【符号の説明】
【００４２】
１      農作業機
１５    カバー体
５０    整地体
５３    整地体本体板
１００  土付着防止部材
１０１  折り曲げ部
１０２  重なり部
１０５  磨耗部
【図１】
2014030363.tif 000003
【図２】
2014030363.tif 000004
【図３】
2014030363.tif 000005
【図４】
2014030363.tif 000006
【図５】
2014030363.tif 000007
【図６】
2014030363.tif 000008
【図７】
2014030363.tif 000009